(57)【要約】【課題】本発明は電子メールに対する付加情報サービスの堤供方法及びそのシステムに関するものである。特に受信されたメール内容のうち一部を活用するために使用者がブロックを設定する場合、ブロック設定された情報のパターンを分析し、使用者の活用可能性の高い連結機能を提供することで、使用者が簡便かつ迅速に所望の作業を行えるようにする付加情報サービス提供方法及びそのシステムを提供する。【解決手段】使用者端末に所定の基本情報を提供する段階と；前記所定の基本情報のうち少なくとも一部がブロック設定されたことを表すメッセージを前記使用者端末から受信する段階と；前記ブロック設定された情報のパターンを分析し、分析されたパターンによる一つ以上の連結機能を決定する段階と；前記一つ以上の連結機能を実行するためのメッセージを前記使用者端末に伝送する段階と；を含んで電子メールの付加情報サービス提供方法を構成する。【選択図】図３
2008299851.tif 000002
【特許請求の範囲】
【請求項１】
使用者端末に所定の基本情報を提供する段階と；
前記所定の基本情報のうち少なくとも一部がブロック設定されたことを表すメッセージを前記使用者端末から受信する段階と；
前記ブロック設定された情報のパターンを分析し、分析されたパターンによる一つ以上の連結機能を決定する段階と；
前記一つ以上の連結機能を実行するためのメッセージを前記使用者端末に伝送する段階と；を含むことを特徴とする電子メールの付加情報サービス提供方法。
【請求項２】
前記連結機能を実行するためのメッセージ伝送段階は、
前記一つ以上の連結機能を前記使用者が選択できるように連結機能メニューデータを前記使用者端末に伝送する段階と；
前記連結機能メニューデータに基づいて出力される連結機能メニューのうち前記使用者によって選択された連結機能の実行結果を前記使用者端末に伝送する段階と；を含むことを特徴とする請求項１に記載の電子メールの付加情報サービス提供方法。
【請求項３】
前記連結機能メニューは、前記使用者によるブロック設定が完了すると、自動的に前記使用者端末に出力されることを特徴とする請求項２に記載の電子メールの付加情報サービス提供方法。
【請求項４】
前記連結機能メニューは、ポップアップ形式で出力されることを特徴とする請求項２に記載の電子メールの付加情報サービス提供方法。
【請求項５】
前記連結機能メニューは、出力された後、予め定められた時間の間に前記端末に備わった所定の入力手段からイベントが発生しないと消えることを特徴とする請求項２に記載の電子メールの付加情報サービス提供方法。
【請求項６】
前記連結機能は、前記情報のパターンと関係なしに共通的に適用可能な一つ以上の基本機能、及び前記ブロック設定された情報のパターンによる一つ以上の追加機能のうち少なくとも一つを含むことを特徴とする請求項１に記載の電子メールの付加情報サービス提供方法。
【請求項７】
前記基本機能は、書式なしに前記ブロック設定された情報を複写する機能、新しいメールに伝達する機能、文字メッセージで伝送する機能、及びデスクトップメモで伝達する機能のうち一つ以上を含むことを特徴とする請求項６に記載の電子メールの付加情報サービス提供方法。
【請求項８】
前記連結機能の決定段階で、前記ブロック設定された情報が電話番号パターンであると分析された場合、前記連結機能は、該当の電話番号への電話かけ機能または住所録登録機能を含むものと決定することを特徴とする請求項１に記載の電子メールの付加情報サービス提供方法。
【請求項９】
前記連結機能の決定段階で、前記ブロック設定された情報が予め指定された反復回数以上の隣接した数字からなる場合、前記ブロック設定された情報を電話番号パターンと決定することを特徴とする請求項８に記載の電子メールの付加情報サービス提供方法。
【請求項１０】
前記連結機能の決定段階で、前記ブロック設定された情報が名前パターンであると分析された場合、前記連結機能は、住所録登録機能を含むものと決定することを特徴とする請求項１に記載の電子メールの付加情報サービス提供方法。
【請求項１１】
前記連結機能の決定段階で、前記ブロック設定された情報が予め指定された回数以上の連続するハングル文字からなる場合、前記ブロック設定された情報を名前パターンと決定することを特徴とする請求項１０に記載の電子メールの付加情報サービス提供方法。
【請求項１２】
前記連結機能の決定段階で、前記ブロック設定された情報が住所パターンであると分析された場合、前記連結機能を、地図表示機能または住所録登録機能を含むものと決定することを特徴とする請求項１に記載の電子メールの付加情報サービス提供方法。
【請求項１３】
前記連結機能の決定段階で、前記ブロック設定された情報が住所名称の単語を含む場合、前記ブロック設定された情報を住所パターンと決定することを特徴とする請求項１２に記載の電子メールの付加情報サービス提供方法。
【請求項１４】
前記連結機能の決定段階で、前記ブロック設定された情報が位置に関するパターンである場合、前記連結機能は、位置基盤サービスを提供するための機能を含むものと決定することを特徴とする請求項１に記載の電子メールの付加情報サービス提供方法。
【請求項１５】
前記連結機能の設定段階で、前記ブロック設定された情報が時間または日付に関するパターンである場合、前記連結機能は、時間または日付基盤サービスを提供するための機能を含むものと決定することを特徴とする請求項１に記載の電子メールの付加情報サービス提供方法。
【請求項１６】
使用者端末に提供される基本情報の内容のうち一つ以上の文字列に対して、情報パターン（前記情報パターンには一つ以上の連結機能が対応している。）を分析する段階と；
前記分析された情報パターンまたはそれに対応する前記連結機能を表す情報を前記使用者端末に提供する段階と；を含み、
前記使用者端末を通して前記基本情報の内容のうち前記文字列が含まれたブロックが設定されると、前記一つ以上の連結機能を前記使用者が選択できるように、前記使用者端末に連結機能メニューが表示されることを特徴とする電子メールの付加情報サービス提供方法。
【請求項１７】
ウェブサーバーから伝送された基本情報のうち少なくとも一部がブロック設定されると、ブロック設定された情報を前記ウェブサーバーに伝送する段階と；
前記ウェブサーバーから前記ブロック設定された情報のパターンによる一つ以上の連結機能を実行するための連結機能メニューデータを受信する段階と；
前記受信された連結機能メニューデータを用いて生成された連結機能メニューを出力する段階と；
前記連結機能メニューのうち前記使用者によって選択された連結機能の実行要請メッセージを前記ウェブサーバーに伝送する段階と；
前記選択された連結機能の実行結果を前記ウェブサーバーから受信して出力する段階と；を含むことを特徴とする電子メールの付加情報サービス提供方法。
【請求項１８】
インターネットを通して連結された使用者端末に電子メールを提供するためのサービスシステムにおいて、使用者端末に提供された所定の基本情報のうち、少なくとも一部が使用者によってブロック設定されたことを表すメッセージを受信し、前記ブロック設定された情報のパターンを分析し、分析されたパターンによる一つ以上の連結機能を決定し、前記一つ以上の連結機能を前記使用者が選択できるように、前記使用者に連結機能メニューデータを伝送するウェブサーバーを含むことを特徴とする電子メールの付加情報サービス提供システム。
【請求項１９】
前記ウェブサーバーは、前記ブロック設定された情報に含まれた文字列を分析し、これを所定のパターンに分類するブロック分析モジュールと；
前記分類されたパターンによって使用可能な連結機能を判断し、連結機能メニューデータを生成する連結メニュー構成モジュールと；
前記連結メニュー構成モジュールで生成された連結機能メニューデータを前記端末に伝送するサーバー制御モジュールと；を含んで構成されることを特徴とする請求項１８に記載の電子メールの付加情報サービス提供システム。
【請求項２０】
前記ウェブサーバーは、前記一つ以上の連結機能のうち前記使用者によって選択された連結機能の実行結果を前記使用者端末に提供することを特徴とする請求項１８に記載の電子メールの付加情報サービス提供システム。
【発明の詳細な説明】
【技術分野】
【０００１】
本発明は、電子メールと関連した付加情報サービスの提供方法及びそのシステムに関するもので、特に、受信されたメールの内容のうち少なくとも一部に対してブロックを設定すると、前記メールに添付された内容を活用するにおいて有用な連結機能及び前記設定されたブロックに含まれた情報のパターンを分析し、それによって活用可能な連結機能を自動的に提供することで、使用者の便宜を増進できる付加情報サービス提供方法及びそのシステムに関するものである。
【背景技術】
【０００２】
一般的に、電子メールサービスを活用するにおいては、単純に受信されたメールの内容を読むよりは、メール内容のうち一部を活用して再び新しいメールに添付したり、別途の文書編集機プログラムを実行して新しい文書に含ませるなどの作業が頻繁に必要となる。
【０００３】
図１は、上記のような従来技術に係る電子メールサービスにおいて、メール内容使用方法の例を示した図で、新しいメールに同一の内容を作成しようとする場合の使用方法を示した図である。
【０００４】
段階Ｓ１０で、メールサービス提供サイトに接続し、受信されたメール目録を見てから読もうとする受信メールを選択すると、選択されたメールの本文が出力される。その後、段階Ｓ２０で、本文内容のうち所望の一部内容を複写する。
【０００５】
一般的に、メール本文を複写するにおいて、ＨＴＭＬタグが含まれた内容を複写する場合、ＨＴＭＬタグまで一緒に含まれて複写される。そのため、含まれたＨＴＭＬタグが必要でないときは、段階Ｓ３０で、前記ＨＴＭＬタグを削除するために、コンピュータに設置されているメモ帳プログラムなどのテキスト編集機を実行する。メモ帳プログラムにはＨＴＭＬタグが適用されないので、段階Ｓ４０で、実行されたメモ帳プログラムに複写内容の‘貼り付け’を行うと、ＨＴＭＬタグが除去された状態の複写内容が出力される。
【０００６】
その後、段階Ｓ５０で、メモ帳プログラムに出力されたＨＴＭＬタグが除去された状態の複写内容を全部または一部複写すると、段階Ｓ６０で、電子メールサービス提供サイトで新しいメールを作成するために、‘新しいメール作成'リンクをクリックして電子メール作成機を実行させ、実行された電子メール作成機ボックス内に前記段階Ｓ５０で複写した内容を貼り付ける。その後、段階Ｓ７０で、貼り付けた内容を含む所定のメールを作成し、これを所望の受信者に伝送する。
【０００７】
すなわち、現在提供されている電子メールサービスは、受信されたメールを読む途中に内容の一部を再び活用しようとする場合、使用者が直接別途のプログラムを実行させるなどの様々な段階を行うべきであるので、作業を迅速に行えないとともに、作業が煩雑になるという問題点がある。
【０００８】
また、受信メールが出力されたメールブラウザーを複数回動作させたり、コンピュータ上で新しいプログラムを実行させるべきであるので、相当数のコンピュータ資源またはネットワーク資源を占めるという問題点がある。
【０００９】
さらに、現在提供されている電子メールサービスでは、メール内容のうち一部に対する関連情報を望む場合、これを一々ポータルサイトの該当項目やウェブ検索サービスなどに別途に入力し、その結果を確認すべきであるという面倒さがある。
【発明の開示】
【発明が解決しようとする課題】
【００１０】
本発明は、上記のような従来技術の問題点を解決するためのもので、その目的は、受信されたメール内容のうち一部を活用するために使用者がブロックを設定する場合、ブロック設定された情報のパターンを分析し、使用者の活用可能性の高い連結機能を提供することで、使用者が簡便かつ迅速に所望の作業を行えるようにする付加情報サービス提供方法及びそのシステムを提供することにある。
【００１１】
また、本発明の他の目的は、使用者がメールの内容に対してブロックを設定する場合、ブロック設定された情報のパターンを分析し、使用者に有用であると判断される一つ以上の連結機能をメニューを通して提供し、これを使用者が選択することで、直ちに所望の作業を行えるようにする付加情報サービス提供方法及びそのシステムを提供することにある。
【００１２】
また、本発明の更に他の目的は、使用者がメールを通して直接的に提供される基本情報の内容に限らず、それと関連した有用な付加情報を最小の作動及び処理過程を通して迅速に得られるようにする新しい概念のメールサービスを提案することにある。
【００１３】
また、本発明の更に他の目的は、受信されたメールの内容を活用するにおいて、既存に要求されていた様々な段階の作業を最小化し、これら段階で必要とされたコンピュータ資源またはネットワーク資源を他の作業遂行時に配分することで、資源の効率性をより高めることにある。
【００１４】
また、本発明の更に他の目的は、受信されたメールの内容を活用するにおいて、既存に要求されていた様々な段階の作業を最小化できる編集に必要な基本機能と一緒に、選択された情報のパターンと関連した有用な付加情報も複合メニューの形態で一括的に提供することで、使用者の作業及び情報解読を非常に便利かつ迅速に行うことにある。
【課題を解決するための手段】
【００１５】
上述したような目的を達成するための本発明の第１特徴による電子メールの付加情報サービス提供方法は、使用者端末に所定の基本情報を提供する段階と；前記所定の基本情報のうち少なくとも一部がブロック設定されたことを表すメッセージを前記使用者端末から受信する段階と；前記ブロック設定された情報のパターンを分析し、分析されたパターンによる一つ以上の連結機能を決定する段階と；前記一つ以上の連結機能を実行するためのメッセージを前記使用者端末に伝送する段階と；を含むことを特徴とする。
【００１６】
ここで、本発明に係る電子メールの付加情報サービス提供方法及びシステムにおいて、前記使用者端末に提供される基本情報は、電子メールまたはウェブ文書であり、情報の内容は、テキスト、イメージ、サウンド及びマルチメディア情報のうち少なくとも何れか一つを含むものである。
【００１７】
このとき、前記連結機能を実行するためのメッセージ伝送段階は、前記一つ以上の連結機能を前記使用者が選択できるように連結機能メニューデータを前記使用者端末に伝送する段階と；前記連結機能メニューデータに基づいて出力される連結機能メニューのうち前記使用者によって選択された連結機能の実行結果を前記使用者端末に伝送する段階と；を含むことを特徴とする。
【００１８】
一実施例において、前記連結機能メニューは、前記使用者によるブロック設定が完了すると、自動的に前記使用者端末に出力されるが、このとき、前記連結機能メニューは、ポップアップ形式で出力されることを特徴とする。一方、前記連結機能メニューは、出力された後、予め定められた時間の間に前記端末に備わった所定の入力手段からイベントが発生しないと消えることを特徴とする。
【００１９】
一方、前記連結機能は、前記情報のパターンと関係なしに共通的に適用可能な一つ以上の基本機能、及び前記ブロック設定された情報のパターンによる一つ以上の追加機能のうち少なくとも一つを含むが、ここで、前記基本機能は、書式なしに前記ブロック設定された情報を複写する機能、新しいメールに伝達する機能、文字メッセージで伝送する機能、及びデスクトップメモで伝達する機能のうち一つ以上を含むことを特徴とする。
【００２０】
前記連結機能の決定段階で、前記ブロック設定された情報が電話番号パターンであると分析された場合、前記連結機能を、該当の電話番号への電話かけ機能または住所録登録機能を含むものと決定し、前記ブロック設定された情報が予め指定された反復回数以上の隣接した数字からなる場合、前記ブロック設定された情報を電話番号パターンと決定し、前記ブロック設定された情報が名前パターンであると分析された場合、前記連結機能は、住所録登録機能を含むものと決定することを特徴とする。
【００２１】
また、前記連結機能の決定段階で、前記ブロック設定された情報が予め指定された回数以上の連続するハングル文字からなる場合、前記ブロック設定された情報を名前パターンと決定し、前記ブロック設定された情報が住所パターンであると分析された場合、前記連結機能を、地図表示機能または住所録登録機能を含むものと決定し、前記ブロック設定された情報が住所名称の単語を含む場合、前記ブロック設定された情報を住所パターンと決定する。
【００２２】
また、前記連結機能の決定段階で、前記ブロック設定された情報が位置に関するパターンである場合、前記連結機能を、位置基盤サービスを提供するための機能を含むものと決定し、前記ブロック設定された情報が時間または日付に関するパターンである場合、前記連結機能を、時間または日付基盤サービスを提供するための機能を含むものと決定することを特徴とする。
【００２３】
本発明の第２特徴による電子メールの付加情報サービス提供方法は、使用者端末に提供される基本情報の内容のうち一つ以上の文字列に対して、情報パターン（前記情報パターンには一つ以上の連結機能が対応している。）を分析する段階と；前記分析された情報パターンまたはそれに対応する前記連結機能を表す情報を前記使用者端末に提供する段階と；を含み、前記使用者端末を通して前記基本情報の内容のうち前記文字列が含まれたブロックが設定されると、前記一つ以上の連結機能を前記使用者が選択できるように、前記使用者端末に連結機能メニューが表示されることを特徴とする。
【００２４】
一方、本発明の第３特徴による電子メールの付加情報サービス提供方法は、ウェブサーバーから伝送された基本情報のうち少なくとも一部がブロック設定されると、ブロック設定された情報を前記ウェブサーバーに伝送する段階と；前記ウェブサーバーから前記ブロック設定された情報のパターンによる一つ以上の連結機能を実行するための連結機能メニューデータを受信する段階と；前記受信された連結機能メニューデータを用いて生成された連結機能メニューを出力する段階と；前記連結機能メニューのうち前記使用者によって選択された連結機能の実行要請メッセージを前記ウェブサーバーに伝送する段階と；前記選択された連結機能の実行結果を前記ウェブサーバーから受信して出力する段階と；を含むことを特徴とする。
【００２５】
一方、本発明の第４特徴による電子メールの付加情報サービス提供システムは、インターネットを通して連結された使用者端末に電子メールを提供するためのサービスシステムにおいて、使用者端末に提供された所定の基本情報のうち、少なくとも一部が使用者によってブロック設定されたことを表すメッセージを受信し、前記ブロック設定された情報のパターンを分析し、分析されたパターンによる一つ以上の連結機能を決定し、前記一つ以上の連結機能を前記使用者が選択できるように、前記使用者に連結機能メニューデータを伝送するウェブサーバーを含むことを特徴とする。
【発明の効果】
【００２６】
本発明によると、受信されたメールやウェブ文書の内容のうち少なくとも一部に対して使用者がブロックを設定する場合、ブロック設定された情報のパターンを分析し、使用者の活用可能性の高い連結機能を提供することで、使用者が簡便かつ迅速に所望の作業を行えるようになる。
【００２７】
また、本発明によると、使用者がメールやウェブ文書の内容に対してブロックを設定すると、ブロック設定された情報のパターンを分析し、使用者に有用であると判断される一つ以上の連結機能をメニューを通して提供し、これを使用者が選択することで、直ちに所望の作業を行えるようになる。
【００２８】
また、本発明によると、使用者がメールやウェブ文書を通して直接的に提供される基本情報のみならず、それと関連した有用な付加情報を最小の作動及び処理過程を通して迅速に得られる新しい概念のメールまたはウェブ文書提供サービスが可能になる。
【００２９】
また、本発明によると、受信されたメールやウェブ文書の内容を活用するにおいて、既存に要求されていた様々な段階の作業を最小化し、これら段階で必要とされたコンピュータ資源またはネットワーク資源を他の作業遂行時に配分することで、資源の効率性をより高められるようになる。
【００３０】
さらに、本発明によると、受信されたメールやウェブ文書などの内容を活用するにおいて、既存に要求されていた様々な段階の作業を最小化できる編集に必要な基本機能と一緒に、選択された情報のパターンと関連した有用な付加情報を複合メニューの形態で一括的に提供することで、使用者の作業及び情報解読を非常に便利かつ迅速に行えるようになる。
【発明を実施するための最良の形態】
【００３１】
以下、添付された図面に基づいて本発明の実施例を説明する。
【００３２】
図２は、本発明の実施例に係る付加情報サービスを具現した電子メールサービス提供システムの構成を全般的に示した概略図である。
【００３３】
本発明に係る付加情報サービスを具現した電子メールサービス提供システムは、インターネット網（有無線のみならず、イントラネットなどの地域網も含む最広義の概念である。）に連結された使用者端末に接続し、前記端末に電子メールデータを伝送するウェブサーバー２０を含む。
【００３４】
使用者は、ウェブブラウザー１０を通して電子メールを確認したり電子メール内容を読むが、本発明では、使用者が電子メールの一部内容をブロックで選択すると、前記ブロックで設定された部分に適用可能な多様な連結機能を実行できるようになる。このとき、使用者がマウス、キーボード及びタッチパッドなどの入力手段を通してブロックを設定した場合、使用可能な連結機能を羅列したメニューが画面に自動的に提供されるように構成することができる（図７Ａなどを参照）。
【００３５】
このとき、メニューは、使用者の編集や内容閲覧を妨害しないように、ブロック設定のためのマウスなどのタッチが完了すると、画面に自動的に表示されてから、一定時間後に消えるように構成することもできる。
【００３６】
使用者がメニューを通して連結機能を選択すると、その結果が使用者に提供されるが、連結機能には、使用者が選択したブロック内の情報内容との関連なしに、編集の便宜を図ったり他の機能を提供するために共通的に適用可能な‘基本機能'（例えば、‘ＳＭＳで伝送'、‘書式なしに複写'など）と、ブロック内の情報内容と関連した連結機能（例えば、‘地図一覧'、‘住所録登録'、‘天気予報'など）とが含まれる。また、連結機能は、このようにメニュー形態で使用者に提供されるが、具現形態によって、連結機能の数が少ないときには、メニューを提供せずに、直ちに連結機能を実行できるように構成することもできる。
【００３７】
したがって、本発明の電子メールサービスを受ける使用者は、編集の便宜を図ったり、多様な付加情報を迅速かつ便利に受けることができる。特に、情報内容と関連した連結機能を使用者に提供するための構成などの具体的な実施態様においては、以下で例示される各実施例及びこれらの変形による多様な技術的具現が可能になる。
【００３８】
一方、ウェブサーバー２０は、前記使用者端末に搭載されたブラウザー１０を通して電子メールサービスが具現されるように、サイト構成データを前記ブラウザー１０に伝送し、前記ブラウザー１０から受信される使用者命令によって関連データを伝送する装置であり、内部的には、使用者認証サーバー、メールサービスサーバーなどのように各機能別に構築された少なくとも一つ以上のサーバーを含んで構成されるが、これに限らずに他の多様な変形構成も可能である。
【００３９】
また、ウェブサーバー２０は、電子メールサービスがインターネット網を通してアクセス可能なＰＣ、ノートブック、ＰＤＡ及び携帯電話などの多様な端末機器と接続し、前記各端末にウェブ文書を提供したり、電子メールを利用可能にするなどの基本サービス及び基本情報を提供する。
【００４０】
特に、本発明に係るウェブサーバー２０は、電子メールサービスを提供するにおいて、受信されたメールのうち何れか一つが選択されると、選択されたメールの本文を前記端末に提供し、前記端末に備わったキーボード、タッチパッド、マウスなどの所定の入力手段によって前記選択されたメールの本文のうち一部がブロックで設定されると、ブロック設定された情報に含まれた文字列に対するパターン分析要請メッセージを受信する。
【００４１】
また、前記ウェブサーバー２０は、受信されたパターン分析要請メッセージによって前記メッセージ内に含まれて受信された文字列を判読し、前記受信された文字列がどのパターンに該当するかをパターン分析過程を通して判断し、それに該当する連結機能メニューを構成する。また、構成された連結機能メニューのうち何れか一つの機能が選択されると、これに該当するウェブページが前記端末上に出力されるように前記ウェブページデータを提供する。
【００４２】
ここで、前記ウェブサーバー２０でパターン分析過程が開始されるためには、少なくとも使用者がブロックを設定したという情報と一緒に、選択したブロックの内容に対する情報が前記ウェブサーバー２０に伝達されるべきである。このような情報を含むメッセージが前記ウェブサーバー２０に伝達されると、前記ウェブサーバー２０は、パターン分析を行う。ここで、使用者が選択したブロックの内容は、必ずしも文字列またはテキスト情報に限定されるものでなく、所定のイメージ、音声またはマルチメディアにも拡張されるが、この場合にも、上記のような情報に対するパターン分析を通して、それと関連した連結機能を提供可能にする限り、本発明の技術思想の範囲内での変形実施であることが自明である。
【００４３】
例えば、電子メールの内容が"５月２３日にソウルに行きます。"という内容である場合、使用者が"５月２３日"をブロックで選択すると、パターン分析を通して日付に該当する情報であることを認識するようになり、それによって、該当日付の天気、曜日情報、使用者が別途に保存しておいたスケジュールなどの関連情報を使用者に直ちに提供することが可能になる。したがって、パターン分析によって使用者に提供可能な連結機能は、一つ以上の付加サービスである。
【００４４】
一方、上記のようなウェブサーバー２０の機能は、多様に変形可能である。例えば、使用者がブロック選択を行った後、該当のブロックに対するパターン分析を行う上記の内容と異なり、予めウェブサーバー２０で該当のメール内容を構成する各情報単位（テキストなど）に対するパターン分析を行った後、分析されたパターンによって使用可能な連結機能（またはパターン分析結果）を電子メールの基本情報（メール内容）と一緒に使用者に伝達し、使用者がメール内容のうち特定の部分をブロックで選択すると、予め分析されたパターンによる連結機能を提供するという変形された構成も可能である。
【００４５】
例えば、メールの内容が"５月２３日にソウルに行きます。"という内容である場合、パターン分析を通して"５月２３日"に該当する情報項目に該当するパターンが‘日付'であることを認識するようになる。そして、情報パターンが‘日付'である場合、予めそれに対応させておいた連結機能が‘曜日'、'天気'、‘登録されたスケジュール'であると、ウェブサーバー２０は、パターン分析の結果（または、その結果で認識されたパターンに対応する連結機能情報）を前記メール基本情報（メール内容）と一緒に使用者の端末に伝送し、使用者が上記のようにブロックを選択する場合、所望の連結機能を使用者に提供できるようになる。このとき、使用者がブロック選択前にメール内容を読む過程で、前記予め認識されたパターン情報やそれに対応する連結機能情報が画面に表れると不便であるので、これをブロック選択前には隠すことが好ましい。
【００４６】
上記のようなシステム構成による本発明に係る電子メールの付加情報サービス提供方法を詳細に説明する。図３は、本発明の実施例に係る付加情報サービスを具現した電子メールサービス提供方法を示したフローチャートである。
【００４７】
まず、インターネットに接続された端末を通して使用者（ＵＳＥＲ）がウェブサーバーに接続すると、通常の手順と同様に使用者認証などを行い、電子メールサービスを使用しようとする前記使用者が正当な使用者であるかどうかを確認し、正当な使用者である場合、該当のメールアカウントからメールデータを受信し、電子メールサービスを提供するようになる。
【００４８】
段階Ｓ１００で、端末に該当のメールアカウントで受信されたメールの目録データを伝送すると、前記端末のブラウザーがこれを出力する。その後、端末に備わったマウス、キーボード、タッチパッドなどの多様な入力手段によって受信メールのうち何れか一つが選択されると、選択されたメールの本文要請メッセージがウェブサーバーに受信される。また、ウェブサーバーが、受信された前記選択されたメールの本文データを前記端末に伝送すると、ブラウザー上には、前記伝送された本文データが出力される。
【００４９】
段階Ｓ１１０で、本文内容が出力された状態で、本文内容のうち一部がマウスのドラグ動作またはキーボードのカーソル動作などの前記多様な入力手段の動作によってブロックで設定されると、ブロック設定された文字列に対するパターン分析要請メッセージがウェブサーバーに受信される。パターン分析要請メッセージのフォーマットは、特別な制約なしに必要によって多様に設計可能であり、ブロック設定された文字列を含むように構成することもできる。
【００５０】
段階Ｓ１２０で、ウェブサーバー２０は、受信された文字列データを判読及び分析し、これを分析結果によって所定のパターンに分類し、これによるパターン情報を端末に提供する。前記ウェブサーバーに受信される文字列データは、少なくとも一つ以上の文字及び数字または文字と数字が混合された形態を有し、これによって、受信された文字列データに該当するパターンを判断することができる。また、必要によっては、使用者が選択したブロックの内容は、必ずしも文字列またはテキスト情報に限定されず、所定のイメージ、音声またはマルチメディアにも拡張されるが、この場合も、上記の情報に対するパターン分析を通して、それと関連した連結機能を提供可能にする限り、本発明の技術思想の範囲内での変形実施であることが自明である。それによって、段階Ｓ１３０では、判断されたパターンによるパターン情報（または‘連結機能メニューデータ'）を生成し、これを前記端末に伝送する。
【００５１】
段階Ｓ１４０で、ブロック設定のための動作として、マウスの左側ボタンによるドラグ動作またはキーボードのキーボタン入力などの入力手段の動作が完了すると、前記ブロックの周囲に所定のメニュー（または‘連結機能メニュー'）が出力される。
【００５２】
ブロックの周囲に出力される前記所定のメニューは、電子メールサービスを使用する使用者たちの利用形態によって受信メールの本文内容を活用するために、使用者たちが使用する多様な機能の目録を具現したもので、編集時に頻繁に活用する機能を基本機能として構成し、ウェブサーバーに受信された文字列のパターンによって活用可能な機能を追加することで連結機能メニューとして具現することができる。したがって、前記ウェブサーバーで生成された連結機能メニューデータがパターン情報として前記端末に伝送されると、伝送された前記連結機能メニューデータによって前記連結機能メニューが具現される。
【００５３】
上記のような連結機能メニューは、ポップアップ、レイヤー、フラッシュなどのブラウザー上に具現可能な多様な技術を通して多様な形態で具現されるが、使用者の編集を妨害せずに使用者の便宜を勘案した形態で出力されるように、表示位置や表示時間などを適宜考慮した上で連結機能メニューを生成することが好ましい。
【００５４】
次に、段階Ｓ１５０で、ウェブサーバーから受信された連結機能メニューデータによって端末に出力された連結機能メニューから何れか一つの機能が選択的に入力されると、段階Ｓ１６０で、選択的に入力された機能を行うための機能要請メッセージがウェブサーバーに伝達され、ウェブサーバーは、前記機能を行えるように具現されたウェブページデータを端末に提供することで、機能が行われるようになる。
【００５５】
このとき、必要によって、前記連結機能メニューデータは、連結機能メニューが出力された状態で、一定時間の間に前記連結機能メニューに表れた多様な機能のうち何れか一つが選択されるための所定の入力信号が入力されないと、前記連結機能メニューが消えるように具現することもできる。より詳細に説明すると、前記連結機能メニューデータを通して具現される連結機能メニューは、使用者に便宜を提供するために具現されるので、使用者が前記連結機能メニューを必要としない場合、自動的に消えることが好ましい。したがって、前記連結機能メニューが出力された場合、前記連結機能メニューを使用しないと判断される一定時間（例えば、約２秒）の間、端末上に出力された連結機能メニュー上にマウスのポインターまたはカーソルが移動しない場合、入力手段による動作イベントの発生を防止することができる。これによって、出力された前記連結機能メニューを本文上に隠したり、メニュー自体を閉じるなどの多様な方式を通して、前記連結機能メニューが消えるように連結機能メニューデータを生成することができる。
【００５６】
連結機能メニューの選択によって実行される連結機能としては、ブロック設定された情報の類型にしたがって多様なものがある。大きくは、実行位置を基準にして、使用者の端末機で実行可能なものと、主にサーバーで実行され、その結果が使用者の端末に出力されるものとに分けられるが、本発明が連結機能自体の特性に制約されるものでないことは当然である。
【００５７】
必要によっては、使用者の端末機に、選択のためのメニューなどの提供を省略し、直にブロック内の文字列に対するパターン分析による連結機能を提供する応用も可能である。例えば、選択されたブロック内に特定地域の名称が存在する場合、該当のブロックが選択されると、直ちに該当地域の地図が画面の一部ウィンドウに表れるように応用することもできる。
【００５８】
一方、上記の段階Ｓ１２０〜Ｓ１４０で、ブロック設定された文字列の情報類型を分析し、それに該当する連結機能メニューを出力する段階に対して、多様な情報類型及びそれによる連結機能を例に挙げて詳細に説明する。
【００５９】
ブロック設定された文字列データを含むパターン分析要請メッセージを受信すると、ウェブサーバーは、受信されたメッセージを判読して前記文字列データを分離し、前記受信された文字列を構成する各文字のアスキーコードを判読するなどの多様な文字列分析方法を活用して分析することで、前記受信された文字列がハングル、アルファベット、漢字などの子母音で構成された文字列であるか、数字で構成された文字列であるか、文字と数字が混合された文字列であるかを判別することができる。
【００６０】
分析された文字列によってパターンを判断する方法において、分類しようとするパターンの種類は、使用者が電子メールサービスを利用するとき、使用者がブロック設定方式で頻繁に活用する内容によって名前、地域住所、電子メール住所、日付、電話番号などで構成されるか、前記ウェブサーバーで電子メールサービスと別途にまたは電子メールサービスと連動して提供可能な住所録、ＳＭＳ、メモ、日程などの機能の種類によって多様に構成される。
【００６１】
例えば、所定の言語による文字列として、特に一文字が２ビットのデータを占めるハングルまたは漢字で構成される場合、前記ブロック設定されて受信された文字列が３〜４個の文字で構成されると、前記文字列が名前データを表していると判断し、名前パターンに分類することができる。前記文字列を名前パターンに分類しようとする場合、受信メールの発信者によって多様な形態で表れるので、前記文字列内に１〜２個のスペースが含まれると、含まれたスペースを除いた隣接した文字列が３〜４個の文字で構成されるかどうかを判断することができ、前記文字列がアルファベットで構成される場合、含まれたスペースを中心に最初の綴字が大文字で構成されたかどうかを判断することで、前記文字列を名前パターンに分類することができる。
【００６２】
前記文字列が多数の数字で構成される場合、電話番号パターンに分類することができる。ここで、一般的な地域電話番号の形態は、地域番号と局番を含む数字で構成され、場合によって国家番号も含まれる。また、携帯電話番号の場合、携帯電話サービスを提供する各通信社別に割り当てられた０１１、０１６、０１９または０１０の後に多数の数字が連続的に表れる。このとき、前記地域電話番号または携帯電話番号は、ハイフンまたはスペースを通して各数字が区分されるので、前記文字列も、多数の数字の間にスペースまたはハイフン（−）などの特殊文字が含まれるとしても、これを除いて連続した数字列（例えば、７個〜１１個の数字列）で構成される場合、前記文字列を電話番号パターンに分類することもできる。
【００６３】
また、前記文字列が多数の文字と数字との混合形態である場合、前記文字列内に含まれたスペースを中心に左側または右側に‘市'、‘区'、‘洞'、‘番地'、‘号'などの文字が含まれるかどうかを判断することで、前記文字列を住所パターンに分類することができ、前記文字列内に含まれた多数の数字は、ハイフンなどの特殊文字が含まれるとしても、住所パターンに分類される。このとき、前記文字列の中間に特殊文字‘＠’が含まれ、‘＠'の次に少なくとも一つ以上の‘．'が含まれると、前記文字列を電子メール住所パターンに分類することができる。
【００６４】
また、上記のように個々の文字列に対して判断せずに、予め分類された数個の特定の類型に対応する各文字列の集合がそれぞれ分類されているデータベースを活用し、選択されたブロック内の文字列を迅速に対照することで、該当の文字列と関連した情報及び文字列のパターンを決定することもできる（例えば、予めデータベースに‘住所'というカテゴリーで大峙洞、三成洞、駅三洞などの多数の文字列がマッチングされており、選択されたブロック内の文字列に‘三成洞’が存在する場合、上記のデータベースを通して前記文字列が‘住所'というパターンであることを認識することができる）。提供可能な連結機能の数がそれほど多くない場合、このような構成は、非常に簡便なサービスが可能であるという利点を提供することもできる。
【００６５】
さらに、一般的には、位置情報と関連した文字列がブロック内に選択された場合、該当の位置を入力とする位置基盤サービスの提供が連結機能として提供される。例えば、選択されたブロック内に‘大峙洞'という位置情報が存在する場合、‘大峙洞'の地図や交通状況などの関連情報が提供される。
【００６６】
また、時刻や日付に関する文字列がブロック内に選択された場合、該当の時刻または日付と関連した情報が連結機能として提供される。例えば、選択されたブロック内に‘５月２０日に登山’という内容があり、日付情報が存在する場合、‘５月２０日'の天気予報が連結機能として提供される。
【００６７】
上述したように、多様な例及び変形例が数多く存在しうるので、上述した文字列の情報類型及びその分類方法は、上述した例に限定されるものでなく、本発明のサービスを使用する使用者の利用形態または各データの類型及びそれによる情報分析技法によって多様に具現されることが自明である。
【００６８】
図４は、本発明の変形実施例に係る付加情報サービスを具現した電子メールサービス提供方法を示したフローチャートである。以下、図４の変形実施例と図３の実施例との差異点を中心に説明する。まず、段階Ｓ２００で、ウェブサーバー２０は、該当の電子メールの内容をパターン分析し、該当のメール内容を構成する各情報単位（テキストなど）に対するパターン分析を行った後、分析されたパターンによって使用可能な連結機能（またはパターン分析結果）を電子メールの基本情報（メール内容）と一緒に使用者に伝達する（段階Ｓ２１０）。この場合、パターン分析結果を電子メールの内容と一緒に伝達せずにウェブサーバー２０のみに保存した後、使用者のブロック選択を待機し、分析されたパターン情報や連結機能情報を伝達する変形も可能である。このとき、パターン情報または連結機能情報を電子メールの基本情報と一緒に伝達するとしても、これを常に画面に表示すると不便さをもたらすので、これを隠しておき、ブロック設定後に画面に表示するように構成することができる。
【００６９】
また、使用者が電子メールの内容中にブロック（または領域）を指定及び選択すると（段階Ｓ２２０）、画面上に基本機能及び追加機能を羅列した連結機能メニューを表示し（段階Ｓ２３０）、これを使用者が選択すると（段階Ｓ２４０）、選択されたメニューによる連結機能の動作（Ｓ２５０）が行われる。このような処理過程は、図３の実施例の場合と類似しているので、それに対する詳細な説明は省略する。
【００７０】
図５は、本発明の実施例に係る付加情報サービス提供システムにおいて、ウェブサーバーの構成を示したブロック図である。図５を参照すると、本発明の実施例に係るウェブサーバー２０は、サーバー制御モジュール２１、ブロック分析モジュール２２、連結メニュー構成モジュール２３、メモリ２４及び通信モジュール２５を含んで構成される。
サーバー制御モジュール２１は、サーバー内の各モジュール２２〜２５の全般的な動作を制御するもので、端末からパターン分析要請メッセージが伝達されると、これを判読した後、パターン分析要請メッセージに含まれた文字列データをブロック分析モジュール２２に伝達する。また、分類されたパターンによって連結可能メニューを構成し、前記連結可能メニューが前記端末のブラウザー１０上で所定の形式で出力されるように連結可能メニューデータを生成する。
【００７１】
ブロック分析モジュール２２は、前記サーバー制御モジュール２１から伝達受けた前記文字列データを分析し、スペースなどのようにパターン分析時に不必要な特殊文字を除いた文字列データを、予め設定されたパターン種類によって所定のパターンに分類する。このとき、‘＠’などの特殊文字は、電子メール住所パターンを判断するために必要な特殊文字であるので、除外しないことが好ましい。
【００７２】
連結メニュー構成モジュール２３は、前記ブロック設定された文字列を活用できる各機能を分類し、所定形態の連結機能メニューが出力されるように連結機能メニューデータを生成する。前記連結機能メニューに含まれる機能は、上述したように、ウェブ文書またはメールの本文中の一部をブロックで設定した場合、一般的に使用者たちが使用する基本機能と、前記ブロック分析モジュールで分類されたパターンによって活用可能な追加機能とに分けられ、必要によって上述した多様な出力形式でメニューデータが生成される。
【００７３】
メモリ２４には、前記サーバー制御モジュール２１で各モジュールの動作を制御するための制御プログラムまたはウェブサーバーに接続してサービス提供を受けるための使用者データなどが保存され、端末に多様なサービスを提供するためのウェブページデータが保存される。また、メモリ２４には、前記ウェブサーバー２０に受信された所定の文字列に対して分類しようとするパターンの種類または各パターンに対応して実行可能な連結機能目録データなどが保存される。
【００７４】
また、通信モジュール２５は、インターネット網を通して前記端末とデータを送受信できるように、伝送されるデータを通信規格に合わせて変換し、受信されるデータをサーバー制御モジュール２１で判読可能な形態に変換する。
【００７５】
図６は、本発明の具現例に係る付加情報サービスを具現した電子メールサービスの例を示した第１例示図で、図６Ａは、受信されたメールの本文内容において一般的な文字列をブロックで設定し、それによって出力された連結機能メニューを示した例示図で、図６Ｂは、図６Ａで出力された連結機能メニューのうち‘メールで伝達'メニューを選択した場合に実行される機能を示した例示図である。
【００７６】
図６Ａに示すように、端末のブラウザー１０上に出力されたメールの本文内容の一部がブロック設定（Ｂ１）されると、設定されたブロックに含まれたデータ（Ｂ１）がウェブサーバー２０に伝達され、該当のデータ（Ｂ１）に該当するパターンが分析される。
【００７７】
分析結果、伝達されたデータが特定のパターンを構成せず、一定のパターン分類に属しない場合、基本連結機能でメニューを構成するための連結機能メニューデータを生成し、これをブラウザー１０に伝達し、端末のブラウザー１０は、これを受信した後、ブロック設定された文字列の周囲に連結機能メニュー（Ｐ１）を具現して出力する。
【００７８】
ここで、基本連結機能メニュー（Ｐ１）には、使用者の活用パターンによって設定された複写機能、書式なしの複写機能、メールで伝達機能、ＳＭＳで伝送機能またはデスクトップメモ機能などが含まれるが、このような基本連結機能メニューＰ１のうち‘メールで伝達’機能が選択されると、図６Ｂに示すように、新しいメールを作成できるメール作成編集機を含むウェブページが自動的に提供される。このとき、前記メール作成編集機内には、ブロック設定された内容（Ｎ１）が含まれる。
【００７９】
図７は、本発明の具現例に係る付加情報サービスを具現した電子メールサービスの例を示した第２例示図で、図７Ａは、受信されたメールの本文内容において電話番号パターンに該当する文字列がブロックで設定された場合に出力される連結機能メニューを示した例示図で、図７Ｂは、図７Ａで出力された連結機能メニューのうち‘ＳＭＳで伝送'機能を選択した場合に実行される機能を示した例示図である。
【００８０】
図７Ａに示すように、出力されたメールの本文内容中に多数の数字で構成された文字列がブロック設定（Ｂ２）されると、ウェブサーバー２０は、設定されたブロックに含まれたデータ（Ｂ２）を分析し、分析結果によって電話番号パターンに分類されると、基本連結機能の他に前記電話番号パターンで活用可能な住所録登録、ＳＭＳで伝送または電話かけ機能などを含む連結機能メニューを構成するための連結機能メニューデータを生成し、これをブラウザー１０に伝達する。ブラウザー１０は、ウェブサーバー２０から受信された連結機能メニューデータによって、電話番号パターンによる連結機能メニュー（Ｐ２）を出力することができる。
【００８１】
また、出力された連結機能メニュー（Ｐ２）で‘ＳＭＳで伝送’機能が選択されると、図７Ｂに示すように、文字メッセージを発信するように具現されたウェブページが提供される。このとき、ウェブページに含まれた文字メッセージ発信ウィンドウには、ブロックで設定された電話番号（Ｎ２）が自動的に入力される。
【００８２】
図８は、本発明の具現例に係る付加情報サービスを具現した電子メールサービスの例を示した第３例示図で、図８Ａは、受信されたメールの本文内容中に多数の文字と数字が混合された住所パターンの文字列がブロックで設定された場合に出力される連結機能メニューを示した例示図で、図８Ｂは、図８Ａで出力された連結機能メニューのうち‘地図に表示'機能を選択した場合に実行される機能を示した例示図である。
【００８３】
図８Ａに示すように、出力されたメールの本文内容中に多数の文字と数字で構成された文字列がブロック設定（Ｂ３）されると、ウェブサーバー２０は、設定されたブロックに含まれたデータ（Ｂ３）が住所パターンを有するものと判断される場合、基本連結機能の他に、前記住所パターンで活用可能な‘地図に表示’及び／または‘住所録登録’機能などを含む連結機能メニューデータを生成してブラウザー１０に伝送し、ブラウザー１０は、ウェブサーバー２０から受信された連結機能メニューデータによって、住所パターンによる連結機能メニュー（Ｐ３）を具現してブロックの周囲に出力することができる。
【００８４】
また、出力された連結機能メニュー（Ｐ３）のうち‘地図に表示’機能が選択されると、図８Ｂに示すように、地図検索ウェブページが提供されるが、このとき、ウェブページに含まれた地図検索ウィンドウにブロックで設定された住所が自動的に入力され（Ｎ３）、それによる位置が地図上に表示された状態でウェブページが出力される。
【００８５】
以上説明したように、本発明に係る付加情報サービス提供方法及びそのシステムを図面に基づいて説明したが、本発明は、本明細書に開示された実施例及び図面によって限定されるものでなく、受信されたメールまたはウェブ文書に含まれた情報などのように使用者に提供される情報の一部内容を使用者がブロックで設定する場合、設定されたブロックに含まれた情報のパターンを自動的に分析し、該当の情報のパターン別に活用可能な連結機能メニューを出力することで、使用者の便宜を図ることができるその他の応用にも適用される。したがって、本発明の技術思想は、特許請求の範囲及びそれと均等な範囲によって判断されるべきである。
【００８６】
例えば、上述した付加情報サービス提供方法は、多様なコンピュータ手段を用いて行われるプログラム形態にも具現されうるが、このとき、付加情報サービス提供方法を行うためのプログラムは、ハードディスク、ＣＤ−ＲＯＭ、ＤＶＤ、ＲＯＭ、ＲＡＭまたはフラッシュメモリなどのようなコンピュータ可読記録媒体に保存される。
【図面の簡単な説明】
【００８７】
【図１】従来技術に係る電子メールサービスにおいて、メール内容使用方法の例を示した図である。
【図２】本発明の実施例に係る付加情報サービスを具現した電子メールサービス提供システムの構成を全般的に示した概略図である。
【図３】本発明の実施例に係る付加情報サービスを具現した電子メールサービス提供方法を示したフローチャートである。
【図４】本発明の変形実施例に係る付加情報サービスを具現した電子メールサービス提供方法を示したフローチャートである。
【図５】本発明の実施例に係る付加情報サービス提供システムに含まれたウェブサーバーの構成を示したブロック図である。
【図６Ａ】本発明の実施例に係る付加情報サービスを具現した電子メールサービスの具現例を示した第１例示図である。
【図６Ｂ】本発明の実施例に係る付加情報サービスを具現した電子メールサービスの具現例を示した第１例示図である。
【図７Ａ】本発明の実施例に係る付加情報サービスを具現した電子メールサービスの具現例を示した第２例示図である。
【図７Ｂ】本発明の実施例に係る付加情報サービスを具現した電子メールサービスの具現例を示した第２例示図である。
【図８Ａ】本発明の実施例に係る付加情報サービスを具現した電子メールサービスの具現例を示した第３例示図である。
【図８Ｂ】本発明の実施例に係る付加情報サービスを具現した電子メールサービスの具現例を示した第３例示図である。
【符号の説明】
【００８８】
１０  ブラウザー
２０  ウェブサーバー
２１  サーバー制御モジュール
２２  ブロック分析モジュール
２３  連結メニュー構成モジュール
Ｂ１〜Ｂ３  ブロック
Ｐ１〜Ｐ３  連結機能メニュー
【図１】
2008299851.tif 000003
【図２】
2008299851.tif 000004
【図３】
2008299851.tif 000005
【図４】
2008299851.tif 000006
【図５】
2008299851.tif 000007
【図６Ａ】
2008299851.tif 000008
【図６Ｂ】
2008299851.tif 000009
【図７Ａ】
2008299851.tif 000010
【図７Ｂ】
2008299851.tif 000011
【図８Ａ】
2008299851.tif 000012
【図８Ｂ】
2008299851.tif 000013